(57)【要約】【課題】光源からの不要な光の遮光性に優れるとともに、組み立て性に優れたライトガイドユニット、照明装置の製造方法、及び電気光学装置の製造方法を提供する。【解決手段】光源回路基板を搭載するためのライトガイドユニット、照明装置の製造方法、及びそのような電気光学装置の製造方法であって、ライトガイドユニットの筐体の内部に、少なくとも光源回路基板が配置される領域と、導光板と、当該導光板の上側で、かつ、ライトガイドユニットの筐体の内側周囲に沿って、光源からの光漏れを防止する遮光部材と、を有し、遮光部材は、少なくとも導光板側の面に接着層を有するとともに、当該接着層の光源回路基板が配置される領域に対向する領域に剥離部材を設けた。【選択図】図１
2008052074.tif 000002
【特許請求の範囲】
【請求項１】
光源回路基板を搭載するライトガイドユニットであって、
前記ライトガイドユニットの筐体の内部に、少なくとも前記光源回路基板が配置される領域と、導光板と、当該導光板の上側で、かつ、前記ライトガイドユニットの筐体の内側周囲に沿って、光源からの光漏れを防止する遮光部材と、を有し、
前記遮光部材は、少なくとも導光板側の面に接着層を有するとともに、当該接着層の前記光源回路基板が配置される領域に対向する領域に剥離部材が設けてあることを特徴とするライトガイドユニット。
【請求項２】
前記遮光部材が、遮光両面粘着テープであることを特徴とする請求項１に記載のライトガイドユニット。
【請求項３】
前記剥離部材に、スリットまたは取手が設けてあることを特徴とする請求項１または２に記載のライトガイドユニット。
【請求項４】
前記剥離部材の面積を、前記遮光部材の面積よりも大きくしてあることを特徴とする請求項１〜３のいずれか一項に記載のライトガイドユニット。
【請求項５】
前記剥離部材の色と、前記遮光部材の色とを、異ならせることを特徴とする請求項１〜４のいずれか一項に記載のライトガイドユニット。
【請求項６】
前記遮光部材を、前記ライトガイドユニットの筐体の周囲に枠状に配置するとともに、当該枠状の遮光部材の一辺に、水平方向に延設した突出部が設けてあり、当該突出部に、前記剥離部材が設けてあることを特徴とする請求項１〜５のいずれか一項に記載のライトガイドユニット。
【請求項７】
前記ライトガイドユニットの筐体の周囲に位置する縁部に切り欠けが設けてあり、当該切り欠けと、前記遮光部材の突出部と、が係合することを特徴とする請求項６に記載のライトガイドユニット。
【請求項８】
光源回路基板を搭載したライトガイドユニットを含む照明装置の製造方法であって、
前記ライトガイドユニットの筐体の内部に、少なくとも前記光源回路基板を配置する領域と、導光板と、当該導光板の上側であって、かつ、前記ライトガイドユニットの筐体の内側周囲に沿って、光源からの光漏れを防止する遮光部材と、を有し、
前記遮光部材は、少なくとも前記導光板側の面に接着層を有するとともに、当該接着層の前記光源回路基板を配置する領域に対向した領域に剥離部材が設けてあり、
前記光源回路基板を、前記剥離部材を設けた前記遮光部材の下側の前記光源回路基板を配置する領域に挿入する工程と、
前記遮光部材から前記剥離部材を除去して、前記遮光部材を前記光源回路基板に貼り付けることにより前記光源回路基板を遮光する工程と、
を含むことを特徴とする照明装置の製造方法。
【請求項９】
ライトガイドユニットを含む照明装置と、液晶パネルと、を備えた電気光学装置の製造方法であって、
前記ライトガイドユニットの筐体の内部に、少なくとも前記液晶パネルを配置する領域と、前記照明装置の光源回路基板を配置する領域と、導光板と、当該導光板の上側であって、かつ、前記ライトガイドユニットの筐体の内側周囲に沿って、光源からの光漏れを防止する遮光部材と、を有し、
前記遮光部材は、少なくとも前記導光板側の面に接着層を有し、当該接着層の前記光源回路基板を配置する領域に対向した領域に剥離部材が設けてあり、
前記光源回路基板を、前記剥離部材を設けた前記遮光部材の下側の前記光源回路基板を配置する領域に挿入する工程と、
前記遮光部材から前記剥離部材を除去して、前記遮光部材を前記光源回路基板に貼り付けることにより前記光源回路基板を遮光して、前記照明装置とする工程と、
前記照明装置を、液晶パネルとともに、筐体に組み込む工程と、
を含むことを特徴とする電気光学装置の製造方法。
【発明の詳細な説明】
【技術分野】
【０００１】
本発明は、ライトガイドユニット、照明装置の製造方法、及び電気光学装置の製造方法に関する。特に、光源回路基板における光源からの光の遮光性に優れるとともに、光源回路基板の後付け性に優れたライトガイドユニット、照明装置の製造方法、及び電気光学装置の製造方法に関する。
【背景技術】
【０００２】
従来、電気光学装置の一態様として、電極の対向領域から構成される画素領域を複数形成し、それぞれの画素領域に印加する電圧を選択的にオン、オフさせることによって、当該画素領域の液晶材料を通過する光を変調させ、表示領域全体として絵や文字等の像を表示させる液晶装置が多用されている。
かかる液晶装置は、通常、小型化及び軽量化を目的として、表面に導電パターンや電子部品が備えられたフレキシブル回路基板（ＦＰＣ）を、異方性導電膜（ＡＣＦ）を介して基板に圧着することにより接続して用いている。また、液晶装置は、それぞれの画素領域に印加する電圧の駆動を制御するための半導体素子を備えており、例えば、ＣＯＧ（Chip on Glass）方式と称される、液晶パネルを構成するガラス基板上に、ＡＣＦを介して半導体素子を実装したり、上述のＦＰＣ上にＡＣＦを介して半導体素子を実装したりしている。
【０００３】
ここで、半導体素子は、複数の端子が基板上の電気配線と電気的に接続されており、所望の電気配線に信号を送ることによって各画素領域の点灯状態を制御するものであるが、半導体素子の端子が存在する能動面側に強度の高い光が進入すると、光起電力によって誤って信号が送信され、液晶パネルの誤動作につながる場合がある。
そこで、遮光両面テープを用いて、半導体素子の能動面への光を遮断して誤動作を防止することができる透過型液晶表示装置が提案されている。
より具体的には、図１２に示すように、背面光源３０３と、当該背面光源３０３からの光の透過を制御して表示を行う透過型液晶表示パネル３０１と、の間に配置され、背面光源３０３および透過型液晶表示パネル３０１を固定する粘着シート３０２であって、当該粘着シート３０２を背面光源３０３からの不要な光を遮光するための遮光部材とした透過型液晶表示装置が開示されている（特許文献１参照）。
【０００４】
また、このようなＦＰＣを備えた液晶装置において、特定の遮光両面粘着テープを用い、光源からの光漏れを防止するための遮光テープの貼り付け工程と、バックライトおよび液晶パネルを接着するための両面接着テープの貼り付け工程と、を同時に行い、組立性を向上させた液晶装置の製造方法が提案されている（特許文献２参照）。
より具体的には、図１３に示すように、遮光両面粘着テープ４０１は、基材としてのＰＥＴフィルム４０５と、このＰＥＴフィルム４０５の一方の面に形成された遮光層４０４と、これらＰＥＴフィルム４０５及び遮光層４０４を挟むように配置された第１の接着層４０３及び第２の接着層４０６と、から構成されている。
また、かかる遮光両面粘着テープ４０１を挟むように、第１の離型シート４０２及び第２の離型シート４０７が配置されている。そして、かかる遮光両面粘着テープ４０１は、液晶装置における液晶パネルと、バックライトと、を貼り合わせる製造工程中に用いられている。
【特許文献１】特開２００１−１５４２１６号  （特許請求の範囲、図１）
【特許文献２】特開２００２−９８９４５号    （特許請求の範囲、図１）
【発明の開示】
【発明が解決しようとする課題】
【０００５】
しかしながら、特許文献１に開示された透過型液晶表示装置では、粘着シートを背面光源からの不要な光を遮光するための遮光部材としても使用しているだけであって、粘着シートの形態を何ら考慮していないことから、光源からの光漏れが生じやすいばかりか、ライトガイドユニットに対して、光源回路基板の後付け処理ができないという問題が見られた。
また、特許文献２に開示された遮光両面粘着テープを用いて液晶パネルを構成した場合においても、遮光両面粘着テープの形態を何ら考慮していないことから、光源からの光漏れが生じやすいばかりか、ライトガイドユニットに対して、光源回路基板の後付け処理ができないという問題が見られた。
すなわち、特許文献１の透過型液晶表示装置および特許文献２の液晶パネルでは、図１４に示すように、光源回路基板１７における基板を透過してくる光源１３からの不要な光を遮光することができず、液晶装置の駆動用半導体素子が近接配置された場合に、その誤動作を有効に防止することができなかった。
また、光源回路基板１７における光源１３と、導光板（図示せず）との間の距離（図面上、記号ｌで表してある箇所）が離れてしまい、かかる箇所からの光漏れも大きいという問題が見られた。
さらに、遮光部材１００を所定位置に配置した後に、光源回路基板１７を後付け処理した場合、一つの遮光部材１００によって、光源回路基板１７の基板側について遮光することはできずに、別の遮光部材を準備する必要があり、光源回路基板１７の後付け処理は不可能であった。
【０００６】
そこで、本発明の発明者らは鋭意努力し、ライトガイドユニットの筐体の内側周囲に沿って、光源からの光漏れを防止する遮光部材を設けるとともに、遮光部材に所定の接着層および剥離部材を設けることにより、従来の問題を解決できることを見出し、本発明を完成させたものである。
すなわち、本発明は、一つの遮光部材を用いた場合であっても、光源からの光の遮光性に優れるとともに、光源回路基板の後付け処理が可能で、組み立て性に優れたライトガイドユニット、照明装置の製造方法、及び電気光学装置の製造方法をそれぞれ提供することを目的とする。
【課題を解決するための手段】
【０００７】
本発明によれば、光源回路基板を搭載するライトガイドユニットであって、ライトガイドユニットの筐体の内部に、少なくとも光源回路基板が配置される領域と、導光板と、当該導光板の上側であって、かつ、ライトガイドユニットの筐体の内側周囲に沿って、光源からの光漏れを防止する遮光部材と、を有しており、遮光部材は、少なくとも導光板側の面に接着層を有するとともに、当該接着層の光源回路基板が配置される領域に対向する領域に剥離部材が設けてあるライトガイドユニットが提供され、上述した問題を解決することができる。
すなわち、このようにライトガイドユニットを構成することにより、一つの遮光部材を用いた場合であっても、光源からの光の遮光性に優れるとともに、光源回路基板の後付け処理が可能で、組み立て性に優れたライトガイドユニットを提供することができる。
また、このようにライトガイドユニットを構成することにより、光源回路基板における光源と、導光板（図示せず）との間の距離が多少変化したような場合であっても、かかる箇所からの光漏れについても有効に防止することができる。
【０００８】
また、本発明のライトガイドユニットを構成するにあたり、遮光部材が、遮光両面粘着テープであることが好ましい。
このようにライトガイドユニットを構成することにより、遮光両面粘着テープである遮光部材を利用して、所定場所への液晶パネル等の固定や配置を正確かつ容易に実施することができる。また、遮光部材が、遮光部材と、接着剤との両方の機能を備えることから、部品点数を減らすことができる。
【０００９】
また、本発明のライトガイドユニットを構成するにあたり、剥離部材に、スリットまたは取手が設けてあることが好ましい。
このようにライトガイドユニットを構成することにより、遮光部材を折り曲げた状態で所定方向、例えば、鉛直方向に保持することが可能になって、光源回路基板の挿入が容易になる。そればかりか、剥離部材のスリットまたは取手を利用して、剥離部材を除去することができるため、光源回路基板を挿入した後の剥離部材の取り扱いについても容易になる。
【００１０】
また、本発明のライトガイドユニットを構成するにあたり、剥離部材の面積を、遮光部材の面積よりも大きくしてあることが好ましい。
このようにライトガイドユニットを構成することにより、遮光部材を折り曲げた状態で所定方向に保持することがさらに容易になるばかりか、光源回路基板を挿入した後の剥離部材の除去や、遮光部材の復元等を容易に実施することもできる。
【００１１】
また、本発明のライトガイドユニットを構成するにあたり、剥離部材の色と、遮光部材の色とを、異ならせることが好ましい。
このようにライトガイドユニットを構成することにより、剥離部材と、遮光部材との間の識別性が向上し、暗所等における剥離部材の取り扱いや除去をさらに容易にすることができる。
【００１２】
また、本発明のライトガイドユニットを構成するにあたり、遮光部材を、ライトガイドユニットの筐体の周囲に枠状に配置するとともに、当該枠状の遮光部材の一辺に、水平方向に延設した突出部が設けてあり、当該突出部に、剥離部材が設けてあることが好ましい。
このようにライトガイドユニットを構成することにより、遮光部材の配置性が向上し、光源からの光の遮光性をさらに向上させることができる。
【００１３】
また、本発明のライトガイドユニットを構成するにあたり、ライトガイドユニットの筐体の周囲に位置する縁部に切り欠けが設けてあり、当該切り欠けと、遮光部材の突出部と、が係合することが好ましい。
このようにライトガイドユニットを構成することにより、遮光部材の配置性や固定性が向上し、光源からの不要な光の遮光性をさらに向上させることができる。
【００１４】
また、本発明のさらに別の態様は、上述したライトガイドユニットを含む照明装置の製造方法である。
すなわち、光源回路基板を搭載したライトガイドユニットを含む照明装置の製造方法であって、ライトガイドユニットの筐体の内部に、少なくとも光源回路基板を配置する領域と、導光板と、当該導光板の上側であって、かつ、ライトガイドユニットの筐体の内側周囲に沿って、光源からの光漏れを防止する遮光部材と、を有しており、遮光部材は、少なくとも導光板側の面に接着層を有するとともに、当該接着層の光源回路基板を配置する領域に対向した領域に剥離部材が設けてあり、光源回路基板を、剥離部材を設けた遮光部材の下側の光源回路基板を配置する領域に挿入する工程と、遮光部材から剥離部材を除去して、遮光部材を光源回路基板に貼り付けることにより光源回路基板を遮光する工程と、を含む照明装置の製造方法である。
したがって、このように光源からの不要な光の遮光性に優れるとともに、組み立て性に優れたライトガイドユニットの所定の製造方法を含んで、照明装置を製造することにより、照明効率が高く、かつ、製造コストが安い照明装置を効率的に得ることができる。
【００１５】
また、本発明のさらに別の態様は、ライトガイドユニットを含む照明装置と、液晶パネルと、を備えた電気光学装置の製造方法であって、ライトガイドユニットの筐体の内部に、少なくとも液晶パネルを配置する領域と、照明装置の光源回路基板を配置する領域と、導光板と、当該導光板の上側であって、かつ、ライトガイドユニットの筐体の内側周囲に沿って、光源からの光漏れを防止する遮光部材と、を有しており、遮光部材は、少なくとも導光板側の面に接着層を有するとともに、当該接着層の光源回路基板を配置する領域に対向した領域に剥離部材が設けてあり、光源回路基板を、剥離部材を設けた遮光部材の下側の光源回路基板を配置する領域に挿入する工程と、遮光部材から剥離部材を除去して、遮光部材を光源回路基板に貼り付けることにより光源回路基板を遮光して、照明装置とする工程と、照明装置を、液晶パネルとともに、筐体に組み込む工程と、を含む電気光学装置の製造方法である。
すなわち、このように光源からの不要な光の遮光性に優れるとともに、組み立て性に優れたライトガイドユニットの所定の製造方法（並びに照明装置の所定の製造方法）を含んで電気光学装置を製造することにより、照明効率が高く、誤動作が少なく、かつ、製造コストが安い電気光学装置を効率的に得ることができる。
【発明を実施するための最良の形態】
【００１６】
以下、適宜図面を参照して、本発明のライトガイドユニット、照明装置、照明装置の製造方法、及び電気光学装置の製造方法に関する実施形態について具体的に説明する。ただし、かかる実施形態は、本発明の一態様を示すものであり、この発明を限定するものではなく、本発明の範囲内で任意に変更することが可能である。
【００１７】
［第１実施形態］
第１実施形態は、図１に例示するように、光源回路基板１７を搭載するためのライトガイドユニット１０１であって、ライトガイドユニット１０１の筐体１０２の内部に、少なくとも導光板（図示せず）を配置するとともに、当該導光板の上側であって、かつ、ライトガイドユニット１０１の筐体１０２の内側周囲に沿って、光源１３からの光漏れを防止するための遮光部材１００（１００ａ、１００ｂ）を配置し、当該遮光部材１００の端部に剥離部材（図示せず）が設けてあるとともに、遮光部材１００を、剥離部材とともに折り曲げた状態で所定方向に保持しながら、光源回路基板１７を搭載可能としたライトガイドユニット１０１である。
すなわち、このようにライトガイドユニットを構成することにより、図２（ａ）〜（ｃ）および図３（ａ）〜（ｃ）に示すように、光源回路基板１７の後付け処理を可能とし、優れた組み立て性を得ることができる。
また、光源回路基板１７についても基板側を遮光部材１００で覆って、基板を透過してくる光源１３からの不要な光や、光源回路基板１７と、導光板（図示せず）との間の隙間から漏れてくる不要な光を十分に遮光することができる。したがって、図４（ａ）〜（ｂ）に示すように、半導体素子９１が光源回路基板１７に近接配置されたとしても、半導体素子９１の誤動作を有効に防止することができる。
なお、光源回路基板１７を搭載した状態のライトガイドユニット１０１は、通常、第２実施形態で後述する照明装置１１と呼ばれるものの、本発明においては、ライトガイドユニット１０１と、光源回路基板１７と、の関係が特徴であるため、第１実施形態において、光源回路基板１７の態様についても説明するものとする。
【００１８】
１．ライトガイドユニット
（１）筐体
ライトガイドユニットの筐体としては、光源回路基板や、導光板、あるいは光拡散板等を収容して、これらを保護できる構成であれば特に制限されるものではないが、例えば、図１に示すように、外枠を有する矩形状の構造体であることが好ましい。
また、図１に示すように、ライトガイドユニット１０１の筐体１０２の周囲に位置する縁部に切り欠け１０２ｂが設けてあり、当該切り欠け１０２ｂと、遮光部材の突出部１００ｃと、を係合させることが好ましい。
この理由は、このようにライトガイドユニット１０１を構成することにより、遮光部材１００の配置性や固定性が向上し、光源１３からの不要な光の遮光性をさらに向上させることができるためである。また、このような切り欠け１０２ｂを利用することにより、ライトガイドユニット１０１に対して、光源回路基板１７の水平方向からの実質的な挿入も可能になって、光源回路基板１７の後付け処理がさらに容易になるためである。
【００１９】
（２）光源回路基板
また、ライトガイドユニットに搭載する光源回路基板としては、図１に示すように、光源１３を搭載したフレキシブル回路基板１７が典型例である。
かかる光源回路基板は、ポリイミド樹脂等の可撓性のフレキシブル基板を基体とした回路基板であって、一方側の端部付近に光源１３が実装され、他方側の端部にパネル接続用端子（図示せず）を備え、これらの光源１３及び接続用端子は電気配線を介して電気的に接続されている。
また、図示しないものの、フレキシブル回路基板１７の表面は、光源１３の実装領域やパネル接続用端子部分、検査用端子部分等を除いて、絶縁膜により被覆されていることが好ましい。
【００２０】
また、図１や図５（ｂ）に示すように、光源回路基板１７の形態としては、光源１３を搭載する実装部１７´と、実装部１７´からの配線の取り出しのための延長部１７ａ、１７ｂと、から構成してあることが好ましい。
すなわち、光源回路基板１７における実装部１７´を概ね長方形とするとともに、延長部１７ａ、１７ｂは、実装部１７´の片端部から、Ｌ字を構成するように帯状に形成してあることが好ましい。そして、延長部１７ａ、１７ｂは、途中に設けた折り曲げ線１７ｄによって、山折、あるいは谷折できるように構成してあることが好ましい。
この理由は、このような形態の光源回路基板であれば、ライトガイドユニットに対する光源回路基板の搭載や、ライトガイドユニットの筐体内における導光板との位置合わせが容易かつ、正確になるためである。
また、このような形態の光源回路基板であれば、搭載した後は、延長部１７ａ、１７ｂを折り曲げることによって、液晶パネル１０の位置合わせや固定が極めて容易になるためである。
なお、図５（ａ）に示すように、導光板１５と、光源回路基板１７の光源１３とを、相互に正確な位置に配置することができるために、光源１３からの光を効率的に使用することができる。
【００２１】
２．遮光部材
（１）貼付け位置
また、光源からの光漏れを防止するための遮光部材１００の貼付け位置については、例えば、図１、図２（ａ）〜（ｃ）、および図３（ａ）〜（ｃ）に示すような平面位置であることが好ましい。
すなわち、図４（ｂ）にその断面状態を示すように、遮光部材１００の貼付け位置としては、基本的に、導光板１５や光拡散板１６の上側であって、かつ、ライトガイドユニット１０１の内側周囲に沿った貼付け位置である。
そして、図２（ｂ）に示すように、遮光部材１００の端部に剥離部材１００´が設けてあるとともに、遮光部材１００を、剥離部材１００´とともに、矢印Ａで示す方向に、折り曲げ、所定方向において保持しながら、光源回路基板１７を搭載可能となるように、貼付け位置を調整することが好ましい。
【００２２】
（２）形態
また、図１等に示す遮光部材１００は、ポリエチレンテレフタレートやポリプロピレン等を主成分とした樹脂製シートとすることが好ましい。
この理由は、このような樹脂製のシートであれば、厚さが比較的薄い場合であっても強度を確保することができ、フレキシブル回路基板と素子基板とを一体的に保持しやすくできるためである。具体的には、遮光部材の弾性強度が、フレキシブル回路基板の基体である可撓性基板と同等以上の弾性強度を有していることが好ましい。
そして、所定の遮光性を得るために、樹脂製シートの内部あるいは表面に、カーボンブラック、酸化チタン、その他、着色剤や隠蔽剤が積層してあったり、練りこんであったりすることが好ましい。
【００２３】
（３）電気絶縁性
また、図１等に示す遮光部材１００は、電気絶縁性を有していることが好ましく、それにより、フレキシブル回路基板あるいは素子基板上の電気配線や電子部品等におけるショート発生を防止できることが好ましい。
そのため、遮光部材の体積抵抗を１×１０6〜１×１０15Ω・ｃｍの範囲内の値とすることが好ましく、１×１０7〜１×１０13Ω・ｃｍの範囲内の値とすることがより好ましく、１×１０8〜１×１０11Ω・ｃｍの範囲内の値とすることがさらに好ましい。
【００２４】
（４）厚さ
また、図１等に示す遮光部材１００において、その厚さを１０〜３００μｍの範囲内の値とすることが好ましい。
この理由は、このような厚さの遮光部材であれば、遮光部材の強度と遮光率とをバランスよく得ることができるためである。
すなわち、遮光部材の厚さが１０μｍ未満の値になると、遮光率が低下したり、機械的強度が低下したりしやすくなる場合がある。一方、遮光部材の厚さが３００μｍを超えると、貼付面の凹凸に対する追従性が低下したり、薄型化が困難になったりする場合がある。
したがって、このような特性のバランスがさらに良好になることから、遮光部材の厚さを５０〜２５０μｍの範囲内の値とすることがより好ましく、１００〜２００μｍの範囲内の値とすることがさらに好ましい。
【００２５】
（５）遮光率
また、図１等に示す遮光部材１００の遮光部材の可視光域、例えば、波長５５０ｎｍにおける遮光率（厚さを１００μｍと規定）を９０％以上の値とすることが好ましい。すなわち、波長５５０ｎｍの入射光の光量を１００％としたときに、９０％以上の光を遮断し、透過できる光量を１０％以下の値とすることが好ましい。
この理由は、このように構成することにより、ガラス基板を透過した光が、ドライバーＩＣのような半導体素子の能動面に至る光量を定量的に防止することができるとともに、光起電力による誤動作を有効に防止することができるためである。
逆に言えば、遮光部材の可視光域、例えば、波長５５０ｎｍにおける遮光率が９０％未満の値となると、ガラス基板を透過した光が、半導体素子の能動面に至って誤動作を生じさせ、良好な画像表示が得られない場合があるためである。
したがって、半導体素子の誤動作がさらに少なくなることから、波長５５０ｎｍにおける遮光率を９５％以上の値とすることがより好ましい。
なお、かかる遮光部材の遮光率は、光透過率計や色差計を用いて測定することができる。
【００２６】
（６）遮光両面粘着テープ
また、図１等に示す遮光部材１００は、遮光両面粘着テープであることが好ましい。
この理由は、遮光両面粘着テープであることにより、所定場所への液晶パネルの固定や配置を正確かつ容易に実施することができるためである。また、遮光部材が、遮光性と、接着性の両方の機能を備えることから、部品点数を減らすことができるためである。
なお、粘着性の目安としての接着力としては、例えば、ＪＩＳ  Ｚ０２３７に準拠したテープ状態での剥離接着力（モード：１８０°剥離、被着体：フェノール樹脂板、剥離速度：３００ｍｍ／ｍｉｎ）を３００〜２０００ｃＮ／１２ｍｍの範囲内の値とすることが好ましい。
この理由は、かかる剥離接着力が３００ｃＮ／１２ｍｍ未満の値になると、ライトガイドユニットの筐体から容易に剥離する場合があるためである。一方、かかる剥離接着力が２０００ｃＮ／１２ｍｍを超えると、使用可能な粘着剤組成が過度に制限されたり、誤って貼った際に、除去したりすることが困難となる場合があるためである。
【００２７】
但し、図６（ｂ）に示すように、液晶パネル１０の裏側に電気接続されたＦＰＣ基板９３を、反転させて折り返すと、遮光両面粘着テープ１００の接着性が不十分な場合、液晶パネル１０が上方に持ち上がりやすいという問題が見られた。すなわち、液晶パネル１０から遮光両面粘着テープ１００が剥がれてしまい、それに引っ張られるように、光源用回路基板１７が浮きやすいやすいという問題が見られた。
したがって、光源１３と、導光板１５とが、位置ずれして、光源１３から導光板１５に進入する光量が低下したり、光強度が部分的に不均一になったりするおそれがあった。
そこで、遮光部材１００が、遮光両面粘着テープであって、接着性が乏しい場合、図６（ａ）〜（ｂ）に示すように、遮光両面粘着テープ１００と、光源１３との間に、接着防止部材１４を設けるか、あるいは接着防止処理を施すことが好ましい。
なお、図６（ａ）は、図６（ｂ）に示す断面図における液晶パネル１０の分解斜視図であるが、ＦＰＣ基板９３については、反転させて折り返す前の状態を示している。
【００２８】
なお、このような接着防止部材１４の好適例としては、図７（ａ）に示すように、接着防止部材１４の表面に凹凸１４ａ、１４ｂを設けて、遮光両面粘着テープ１００と、光源１３との間の接触面積を低下させる例が挙げられる。
また、図７（ｂ）に示すように、接着防止部材１４の位置がずれないように、光源回路基板１７の表面に設けた突起１７ａと係合する凹部１４ｃを備えた接着防止部材１４の例が挙げられる。
さらに、接着防止部材１４の表面に剥離処理層１４ｄを設けて、遮光両面粘着テープ１００と、光源１３との間の接触面積を低下させる例が挙げられる。
【００２９】
（７）剥離部材
また、図２（ｂ）に示すように、遮光部材１００の端部に剥離部材１００´が設けてあることを特徴とする。
すなわち、矢印Ａで示す方向に、遮光部材１００を、剥離部材１００´とともに折り曲げた状態で、所定方向に保持しながら、ライトガイドユニット１の筐体１０２に対して、光源回路基板１７を搭載可能とするためである。
ここで、剥離部材１００´の形態については特に制限されるものではないが、その平面形状を、概ね長方形、正方形、長円、楕円、円形、多角形、異形、あるいはこれらの組み合わせとすることが好ましい。
また、図２（ｂ）に示すように、中程に空所を有するフレーム状の剥離部材１００´であることも好ましい。この理由は、遮光部材１００の折り曲げが容易になる一方、剥離部材１００´の除去も容易となるためである。
なお、剥離部材の材質としては、例えば、厚さ１０〜１００μｍのポリエステルフィルム、ポリオレフィンフィルム、ポリアミドフィルム、ポリサルフォンフィルム等が挙げられる。
【００３０】
また、剥離部材に、スリットまたは取手が設けてあることが好ましい。
この理由は、このようにライトガイドユニットを構成することにより、遮光部材を折り曲げた状態で所定方向、例えば、鉛直方向に保持することが容易になるばかりか、光源回路基板を挿入した後の剥離部材の取り扱いについても容易になるためである。
ここで、スリットや取手の形状については特に制限されるものではないが、例えば、横方向のスリットや、斜め方向スリット、丸型取手、長方形取手、三角形取手が挙げられる。さらに、これらのスリットや取手の数について、単数であっても、二つ以上の複数であっても良い。
【００３１】
また、剥離部材の面積を、遮光部材の面積よりも大きくしてあることが好ましい。
この理由は、このようにライトガイドユニットを構成することにより、遮光部材を折り曲げた状態で所定方向に保持することがさらに容易になるばかりか、光源回路基板を挿入した後の剥離部材の除去や、遮光部材の復元等を容易に実施することもできるためである。
したがって、より具体的には、遮光部材の面積を１００としたときに、剥離部材の面積を１０５〜２００の範囲内の値とすることが好ましい。
【００３２】
また、剥離部材の色と、遮光部材の色とを、異ならせることが好ましい。
この理由は、このようにライトガイドユニットを構成することにより、剥離部材と、遮光部材との間の識別性が向上し、剥離部材の取り扱いや剥離をさらに容易にすることができるためである。
したがって、より具体的には、例えば、遮光部材の色を黒色としたときに、剥離部材の色を白色、黄色、赤色、緑色、青色等の一色または二色以上の組み合わせとすることが好ましい。
さらに、遮光部材の色を非蛍光色とする一方、剥離部材の色を蛍光色とすることにより、暗所等であっても、剥離部材の識別性が向上し、さらに使い勝手や取り扱い性を向上させることができる。
【００３３】
また、遮光部材を、ライトガイドユニットの筐体の周囲に枠状に配置するとともに、当該枠状の遮光部材の一辺に、水平方向に延設した突出部が設けてあり、当該突出部に、剥離部材が設けてあることが好ましい。
この理由は、このようにライトガイドユニットを構成することにより、遮光部材の配置性が向上し、光源からの光の遮光性をさらに向上させることができるためである。
【００３４】
３．照明装置
また、図１等に示すライトガイドユニット１０１の応用例としては、照明装置が典型であり、かかる照明装置を用いた応用例としては、図８や図９に示すような液晶装置１０が挙げられる。
【００３５】
（１）基本構成
照明装置１１は、図１に示すように、液晶パネル（図示せず）に対して電気的に接続されたフレキシブル回路基板１７上に実装された光源１３と、液晶パネルの背面側に位置し、光源１３から出射された光を、液晶パネルに対して、均一に導くための導光板１５と、を備えている。
ここで、照明装置１１に使用される光源１３としては、発光ダイオード（ＬＥＤ）が一般的であるが、それ以外にも蛍光管や白熱電球等を用いることもできる。
また、導光板１５は、透光性のアクリル樹脂等からなる平板状の部材であり、液晶パネルと面する面の背面側には、光反射板又は光反射膜（図示せず）を備えている。
さらに、図示しないものの、導光板を含まず、液晶パネルの背面側に複数の蛍光管を配置する構成の照明装置とすることもできる。
いずれにしても、これらの照明装置の構成や、光源及び導光板については、公知のものを用いることができる。
なお、このような照明装置において、遮光部材が、光源回路基板の表面全体を覆っていることが好ましい。
この理由は、このように構成することにより、光源からの不要な光の遮光性にさらに優れるとともに、遮光部材の大きさに対する制約を少なくすることができるためである。
【００３６】
（２）作用効果
このような照明装置１１であれば、光源１３からの不要な光の遮光性に優れるとともに、組み立て性に優れたライトガイドユニット１０１を含むことにより、照明効率が高く、使い勝手に優れた照明装置１１とすることができる。
すなわち、かかる照明装置１１であれば、所定のライトガイドユニット１０１と、光源回路基板１７と、を含んで構成されていることにより、実質的に一つの遮光部材１００で、不要な光漏れを防ぐことにより、照明効率が高く、かつ、光源回路基板１７の後付け処理が可能であって、使い勝手に優れた照明装置１１とすることができる。
【００３７】
（３）製造方法
次いで、図１０に工程フロー（Ｓ１〜Ｓ８）を示すように、以下の工程（１）〜（４）を含む光源回路基板を搭載したライトガイドユニットを含む照明装置の製造方法を説明する。
１）ライトガイドユニットの筐体の内部に、少なくとも導光板を配置する工程（Ｓ１〜Ｓ２）
２）当該導光板の上側であって、かつ、ライトガイドユニットの筐体の内側周囲に沿って、光源からの光漏れを防止するための遮光部材を配置するとともに、遮光部材を、剥離部材とともに折り曲げた状態で所定方向に保持する工程（Ｓ３〜Ｓ４）
３）ライトガイドユニットに、光源回路基板を挿入し、当該光源回路基板を、導光板に対して、所定位置に配置する工程（Ｓ５）
４）遮光部材から、剥離部材を除去するとともに、折り曲げた状態を復元することにより、光源回路基板を遮光する工程（Ｓ６〜Ｓ８）
以下、第３実施形態の照明装置の製造方法に関して、第１実施形態および第２実施形態と異なる点を中心に説明する。
【００３８】
１）導光板の配置工程（Ｓ１〜Ｓ２）
導光板の配置工程は、ライトガイドユニットの筐体を準備し、その内部に、少なくとも導光板を配置する工程である。
すなわち、かかる導光板を配置することにより、光源回路基板に搭載された光源からの光を、所望位置に導入することができ、平板状の照明装置の基礎要素とすることができる。
なお、導光板の構成としては、従来公知の構成を任意にとることができる。また、導光板の表面側に、光拡散板等を配置することにより、さらに、均一な光として、利用することができる。
【００３９】
２）遮光部材の配置工程（Ｓ３〜Ｓ４）
遮光部材の配置工程は、図２（ａ）に示すように、ライトガイドユニット１０１の筐体１０２の周囲に、光源１３からの光漏れを防止するための遮光部材１００であって、端部に剥離部材１００´が設けてある遮光部材１００を所定位置に配置する工程である。
次いで、図２（ｂ）に示すように、端部の剥離部材１００´の箇所をもって、矢印Ａで示す方向に、遮光部材１００を折り曲げる工程である。
さらに、図２（ｃ）に示すように、遮光部材１００を、剥離部材１００´とともに折り曲げた状態で、所定方向に保持する工程である。この場合は、遮光部材１００を鉛直方向に保持してある。
すなわち、かかる遮光部材を所定配置し、所定状態に保持した後、後述する遮光処理をすることにより、光源回路基板に搭載された光源からの不要な光を有効に遮光できる状態となる。
【００４０】
３）光源回路基板の配置工程（Ｓ５）
光源回路基板の配置工程は、図３（ａ）〜（ｂ）に示すように、遮光部材１００を、剥離部材１００´とともに折り曲げた状態で所定方向に保持しながら、ライトガイドユニットの筐体１０２に、光源回路基板１７を挿入し、当該光源回路基板１７を、導光板（図示せず）に対して、所定位置に配置する工程である。
すなわち、遮光部材を先に所定配置した後、光源回路基板を後付け処理することができる。よって、ライトガイドユニットを一旦構成した後であっても、照明装置を組み立てることができ、照明装置の製造における自由度を向上させることができる。
【００４１】
４）光源回路基板の遮光工程（Ｓ６〜Ｓ８）
光源回路基板の遮光工程は、図３（ｃ）に示すように、遮光部材１００から、剥離部材１００´を除去するとともに、折り曲げた状態を復元することにより、光源回路基板１７を遮光する工程である。
すなわち、遮光部材を利用して、光源回路基板を基板側から全体的または部分的に遮光することにより、光源回路基板に搭載された光源からの不要な光を有効に遮光可能な照明装置とすることができる。したがって、このような照明装置を含んで液晶装置等を構成した場合に、光源からの光を有効利用することができるとともに、液晶装置等の駆動用半導体素子の誤動作についても有効に防止することができる。
【００４２】
以上のとおり、本発明の照明装置の製造方法の態様によれば、光源からの不要な光の遮光性に優れるとともに、組み立て性に優れたライトガイドユニット１０１の所定の製造工程を含んで、特定の照明装置１１を製造することにより、照明効率が高く、製造コストが低く、かつ使い勝手に優れた照明装置１１を効率的に得ることができる。
また、かかる照明装置１１の製造方法によれば、所定のライトガイドユニット１０１の製造方法を含んで実施されていることにより、実質的に一つの遮光部材１００で、不要な光漏れを防ぐことにより、照明効率が高く、かつ、光源回路基板１７の後付け処理が可能であって、製造コストが低く、かつ使い勝手に優れた照明装置１１を効率的に得ることができる。
【００４３】
［第２実施形態］
第２実施形態は、図１１に工程フロー（Ｓ１〜Ｓ８およびＳ１´〜Ｓ４´）を示すように、以下の工程（１）〜（５）を含むことを特徴とするライトガイドユニットを用いた照明装置と、液晶パネルと、を備えた電気光学装置としての液晶装置の製造方法である。
（１）ライトガイドユニットの筐体の内部に、少なくとも導光板を配置する工程（Ｓ１〜Ｓ２）
（２）当該導光板の上側であって、かつ、ライトガイドユニットの筐体の内側周囲に沿って、光源からの光漏れを防止するための遮光部材を配置するとともに、遮光部材を、剥離部材とともに折り曲げた状態で所定方向に保持する工程（Ｓ３〜Ｓ４）
（３）ライトガイドユニットに、光源回路基板を挿入するとともに、当該光源回路基板を、導光板に対して、所定位置に配置する工程（Ｓ５）
（４）遮光部材から、剥離部材を除去するとともに、折り曲げた状態を復元することにより、光源回路基板を遮光して、照明装置とする工程（Ｓ６〜Ｓ７）
（５）照明装置を、液晶パネルとともに、筐体に組み込む工程（Ｓ８およびＳ１´〜Ｓ４´）
以下、液晶装置を例に採って説明するが、第１実施形態と異なる点を中心に説明する。
なお、以下の説明中、液晶パネルとは、シール材で貼り合わせられた一対の基板の間に液晶材料が注入された状態を意味し、液晶装置とは、液晶パネルに、フレキシブル回路基板や電子部品、光源等が取り付けられた状態を意味するものとする。
【００４４】
１．基本工程
（１）導光板の配置工程（Ｓ１〜Ｓ２）
ライトガイドユニットの筐体の内部に、少なくとも導光板を配置する工程である。但し、第１実施形態で説明したのと同様の内容であることから、詳細な説明を省略する。
【００４５】
（２）遮光部材の配置工程（Ｓ３〜Ｓ４）
ライトガイドユニットの筐体の周囲に、光源からの光漏れを防止するための遮光部材であって、端部に剥離部材が設けてある遮光部材を配置する工程である。但し、第１実施形態で説明したのと同様の内容であることから、詳細な説明を省略する。
【００４６】
（３）光源回路基板の配置工程（Ｓ５）
ライトガイドユニットに、光源回路基板を挿入し、当該光源回路基板を、導光板に対して、所定位置に配置する工程である。但し、第１実施形態で説明したのと同様の内容であることから、詳細な説明を省略する。
【００４７】
（４）光源回路基板の遮光工程（Ｓ６〜Ｓ７）
遮光部材から、剥離部材を除去するとともに、折り曲げた状態を復元することにより、光源回路基板を遮光する工程である。但し、第１実施形態で説明したのと同様の内容であることから、詳細な説明を省略する。
【００４８】
（５）組み込み工程（Ｓ８、Ｓ１´〜Ｓ４´）
Ｓ１〜Ｓ７の工程で製造した照明装置を、Ｓ１´〜Ｓ４´の工程で製造した液晶パネルとともに、所定の筐体に組み込む工程である。すなわち、かかる組み込み工程を実施することにより、図４（ａ）〜（ｂ）に示すような、液晶パネル１０を含む液晶装置１を効率的に得ることができる。
なお、図４（ａ）は、図４（ｂ）に示す断面図における液晶パネル１０の分解斜視図であるが、ＦＰＣ基板９３については、反転させて折り返す前の状態を示している。
【００４９】
２．作用効果
このように製造した液晶装置１によれば、反射表示の際には、太陽光や室内照明光などの外光が、対向基板３０側から液晶パネル１０に入射するとともに、カラーフィルタ３７や液晶材料２１ａなどを通過して光反射膜７９に至り、そこで反射されて再度液晶材料２１やカラーフィルタ３７などを通過して、液晶パネル１０から外部へ透過してくることにより、所定の画像表示として、反射表示が行われる。
一方、透過表示の際には照明装置１１が点灯され、照明装置１１から出射された光が液晶パネル１０に入射するとともに、透光性の透明電極６３ｂ部分を通過し、カラーフィルタ３７、液晶材料２１ａなどを通過して液晶パネル１０の外部へ透過してくることにより、透過表示が行われ、所定の画像表示として、認識することができる。
そして、かかる液晶装置１の製造方法であれば、所定のライトガイドユニット１０１の製造方法や照明装置１１の製造方法を含んでいることにより、実質的に一つの遮光部材１００で、不要な光漏れを有効に防ぐことが可能な液晶装置１を得ることができる。したがって、照明効率が高く、製造コストが低く、かつ使い勝手に優れた液晶装置１を効率的に得ることができる。
【００５０】
３．応用例
また、図１等に示すライトガイドユニットの応用例としては、後述する第２実施形態の照明装置が典型である。そして、かかる照明装置を用いた応用例としては、液晶装置を代表とする電気光学装置が挙げられる。
そこで、電気光学装置として、ＴＦＴ素子（Thin Film Transistor）を備えたアクティブマトリクス型の液晶装置であって、液晶パネルを構成する基板上に半導体素子が実装された液晶装置を例に採って説明する。
なお、以下の説明中、液晶パネルとは、シール材で貼り合わせられた一対の基板の間に液晶材料が注入された状態の構成部品を意味し、液晶装置とは、かかる液晶パネルに、フレキシブル回路基板や電子部品、光源等が取り付けられた状態の構成部品を意味するものとする。
【００５１】
そこで、図８および図９を参照して、液晶装置の基本的構成について説明する。ここで、図８は、液晶装置１の斜視図であり、図９は、液晶装置１に含まれる液晶パネル１０の断面図（部分拡大図）である。
これら図８および図９に示すように、液晶装置１は、素子基板６０と対向基板３０とをシール材（図示せず）によって貼り合わせるとともに、セル領域内に液晶材料（図示せず）が封入された液晶パネル１０を備えている。
また、液晶パネル１０における素子基板６０は、対向基板３０の外形よりも外側に張り出してなる基板張出部６０Ｔを有しており、この基板張出部６０Ｔにおける液晶材料を保持する面側には、外部接続用端子（図示せず）が形成されているとともに、当該外部接続用端子に対して半導体素子９１及びフレキシブル回路基板１７が接続されている。
そして、フレキシブル回路基板１７には光源１３が実装され、この光源１３と、当該光源１３から出射された光を液晶パネル１０に導く導光板１５とからなる照明装置１１が、液晶パネル１０の背面側に備えられている。
【００５２】
また、図５に示すように、液晶パネル１０は、スイッチング素子としてのＴＦＴ素子を備えた素子基板６０と、当該素子基板６０に対向し、カラーフィルタ３７を備えた対向基板３０とを備えている。また、対向基板３０の外側（図２の上側）表面には、位相差板４７が配置され、さらにその上に偏光板４９が配置されている。
同様に、素子基板６０の外側（図２の下側）表面には、位相差板８７が配置され、さらにその下に偏光板８９が配置されている。そして、素子基板６０の下方に、上述した照明装置（図示せず）が配置される。
【００５３】
このような液晶パネル１０において、対向基板３０は、ガラスやプラスチック等の基板３１を基体として、色相が異なる複数の加法混色系の着色層３７ａ、３７ｂ、３７ｃからなるカラーフィルタ３７と、そのカラーフィルタ３７の上に形成された対向電極３３と、その対向電極３３の上に形成された配向膜４５と、を備えている。
また、カラーフィルタ３７と対向電極３３との間には、反射領域及び透過領域それぞれのリタデーションを最適化するための樹脂層４１を備えている。
【００５４】
また、対向基板３０に対向する素子基板６０は、ガラスやプラスチック等の基板６１を基体として、スイッチング素子として機能するアクティブ素子としてのＴＦＴ素子６９と、透明な絶縁膜８１を挟んでＴＦＴ素子６９の上層に形成された画素電極６３と、その画素電極６３の上に形成された配向膜８５とを備えている。
そして、このような画素電極６３は、反射領域Ｒにおいては反射表示を行うための光反射膜７９（６３ａ）を兼ねて形成されるとともに、透過領域Ｔにおいては、ＩＴＯなどにより透明電極６３ｂとして形成されている。また、このような画素電極６３ａとしての光反射膜７９は、例えばＡｌ（アルミニウム）、Ａｇ（銀）等といった光反射性材料によって形成される。ただし、画素電極や光反射膜の構成は図２に示すような構成に限られるものではなく、画素電極全体を、ＩＴＯ等を用いて形成するとともに、別の部材として、アルミニウム等を用いた反射膜を設けた構成とすることもできる。
そして、表面に設けられたポリイミド系の高分子樹脂からなる配向膜８５には、配向処理としてのラビング処理が施されている。
【産業上の利用可能性】
【００５５】
本発明によれば、光源からの不要な光の遮光性に優れるとともに、組み立て性に優れたライトガイドユニット、それを用いた照明装置の製造方法、及び電気光学装置の製造方法が提供できるようになった。
したがって、本発明のライトガイドユニット等は、ＴＦＴ素子やＴＦＤ素子等のスイッチング素子を備えた液晶装置やそれを用いた電子機器、例えば、携帯電話機やパーソナルコンピュータ等をはじめとして、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電子機器、電子放出素子を備えた装置（ＦＥＤ:Field Emission DisplayやＳＣＥＥＤ：Surface-Conduction Electron-Emitter Display）などに幅広く適用することができる。
【図面の簡単な説明】
【００５６】
【図１】本発明のライトガイドユニットを用いた照明装置を説明するために供する図である。
【図２】本発明のライトガイドユニットを用いた照明装置の組み立て方法を説明するために供する図である（その１）。
【図３】本発明のライトガイドユニットを用いた照明装置の組み立て方法を説明するために供する図である（その２）。
【図４】（ａ）〜（ｂ）は、本発明のライトガイドユニットを用いた照明装置を用いた液晶装置の分解斜視図およびその断面図である。
【図５】（ａ）〜（ｂ）は、ライトガイドユニットにおける光源回路基板の搭載状態および光源回路基板の一例を説明するために供する図である。液晶装置の断面図である。
【図６】（ａ）〜（ｂ）は、本発明のライトガイドユニットを用いた照明装置を用いた別の液晶装置の分解斜視図および断面図である。
【図７】（ａ）〜（ｃ）は、遮光両面粘着テープと、光源との間の接着防止部材を説明するために供する図である。
【図８】液晶装置の斜視図である。
【図９】液晶装置の断面図である。
【図１０】照明装置の製造方法を説明するための工程フローである。
【図１１】電気光学装置の製造方法を説明するための工程フローである。
【図１２】従来の遮光部材を説明するための分解斜視図である。
【図１３】従来の別の遮光部材を説明するための分解斜視図である。
【図１４】従来の遮光部材を用いた場合の遮光状態を説明するために供する図である。
【符号の説明】
【００５７】
１：液晶装置、１０：液晶パネル、１１：照明装置、１３：光源、１４：接着防止部材、１４ａ、１４ｂ：凹凸、１４ｃ：凹部、１４ｄ：剥離処理層、１５：導光板、１６：光拡散板、１７：光源回路基盤、１７'：実装部、１７ａ：突起、１７ａ、１７ｂ：延長部、 １７ｄ：折り曲げ線、２１：透明電極、２１ａ：液晶材料、３０：対向基板、３１：基板、３３：対向電極、３７：カラーフィルタ、３７ａ、３７ｂ、３７ｃ：着色層、４１：樹脂層、４５：配向膜、４７：位相差板、４９：偏光板、６０：素子基板、６０Ｔ：基板張出部、６１：基板、６３：画素電極、６３ａ：画素電極、６９：ＴＦＴ素子、７９：光反射膜、７９（６３ａ）：光反射膜、８１：絶縁膜、８５：配向膜、８７：位相差板、８９：偏光板、９１：半導体素子、９３：ＦＰＣ基盤、１００：遮光部材、１００'：剥離部材、１００ｃ：突出部、１０１：ライトガイドユニット、１０２：筐体、１０２ｂ：切り欠け
【図１】
2008052074.tif 000003
【図２】
2008052074.tif 000004
【図３】
2008052074.tif 000005
【図４】
2008052074.tif 000006
【図５】
2008052074.tif 000007
【図６】
2008052074.tif 000008
【図７】
2008052074.tif 000009
【図８】
2008052074.tif 000010
【図９】
2008052074.tif 000011
【図１０】
2008052074.tif 000012
【図１１】
2008052074.tif 000013
【図１２】
2008052074.tif 000014
【図１３】
2008052074.tif 000015
【図１４】
2008052074.tif 000016